(57)【要約】      （修正有）【課題】折込広告組を丁合する折込機の稼働状況を遠隔地で観察することにより、丁合作業の効率化を図ることができる折込機の作業管理システムを得る。【解決手段】新聞と同時に配布される複数の広告を一つの折込広告に束ねて折込広告組として順次搬出する複数の各折込機に対して、前記各折込機により搬出される前記折込広告組をカウントする折込機数に応じたカウント手段と、前記折込機に生じる各種エラーを信号値として検出する折込機数に応じたエラー検知手段を設置し、前記各カウント手段及び各エラー検知手段からの信号を入力し、前記各折込機毎の折込広告組搬出枚数、稼働時間及び停止時間を算出する演算手段と、前記演算手段で算出された数値データを折込機毎に予め設定された複数セルを含む表形式の状態表示画面で表示することで前記各折込機の稼働状況を把握するモニター手段を具備する。【選択図】図１
2007334424.tif 000002
【特許請求の範囲】
【請求項１】
新聞と同時に配布される複数の広告を一つの折込広告に束ねて折込広告組として順次搬出する複数の各折込機に対して、前記各折込機により搬出される前記折込広告組をカウントする折込機数に応じたカウント手段と、前記折込機に生じる各種エラーを信号値として検出する折込機数に応じたエラー検知手段を設置し、
前記各カウント手段及び各エラー検知手段からの信号を入力し、前記各折込機毎の折込広告組搬出枚数、稼働時間及び停止時間を算出する演算手段と、
前記演算手段で算出された数値データを折込機毎に予め設定された複数セルを含む表形式の状態表示画面で表示することで前記各折込機の稼働状況を把握するモニター手段と
を具備することを特徴とする折込機の作業管理システム。
【請求項２】
前記状態表示画面は、折込機で発生する各種エラーを種類別に異なる色で表示するエラー表示部を有し、折込機にエラーが発生した場合には、前記状態表示画面の前記折込機に対応する列のセルの全部又は一部を対応するエラーを表示するエラー表示部と同じ色で色表示する請求項１に記載の折込機の作業管理システム。
【発明の詳細な説明】
【技術分野】
【０００１】
本発明は、新聞に添付して配布される折込広告を丁合する折込機の作業管理システムに係り、特に、折込機で折込広告を作製するに際して、稼働状況を容易に把握して効率的な作業を可能とする折込機の作業管理システムに関する。
【背景技術】
【０００２】
新聞に添付して配布される折込広告は、一つの新聞について、配布地域等に応じて各種広告を一つの束とした折込広告組（丁合された折込広告）として同時に配布することが行われている。折込広告の丁合は、複数種類の広告をセットし、これら一枚ずつを自動的に束ねることで一組の折込広告組として順次搬出する折込機により行われる。
折込機１０は、例えば図４に示すように、箱体の両側面に対して複数のトレイ部１１及び折り棚１２が形成され、各トレイ部１１及び折り棚１２にそれぞれ異なる広告複数枚を設置し、箱体内で各トレイ部１１から１枚ずつ取り出した広告を重ねるとともに、図５に示すように、折り棚１２から取り出した大面積の広告５１を二つ折りした内部に複数枚の広告５２が挟まれるように束ねて丁合することで、一つの折込広告組５０として最下段の搬出部１３から送り出されるようになっている。
【０００３】
折込広告組は新聞が配布される地域等により異なる広告を配布する必要があるので、一地域に配布される折込広告組毎に、各トレイ部に広告を設置し、必要な折込広告組数を作業部数として設定し、折込機による丁合作業を繰り返して行なうことで、複数の作業回数による作業が行われる。
この作業を行う場合には、作業中の折込機に異常がないかを監視するため、数人のオペレーターにより複数台の折込機を管理させ、１回の作業部数が終了する毎（作業回数毎）に、次の配布地域のために必要な広告を各トレイ部に設定する等の作業を行う準備期間（段取時間）を必要としている。
【発明の開示】
【発明が解決しようとする課題】
【０００４】
上述のような折込機による丁合作業を行う場合において、折込機にエラー（異常）が発生した場合には、オペレーターにより復旧作業が行われるが、エラーが生じているかどうかを離れた場所から監視するようなシステムは存在していなかった。
【０００５】
また、エラーが発生した場合の復旧作業に要する時間や作業回数毎の準備時間（段取時間）は、オペレーターによる熟練度により大きく異なることが経験的に判明しているが、これらオペレーターによる作業状況を離れた場所から観察するようなシステムは存在していなかった。そのため、現場においてオペレーターを観察することなしに、リアルタイムに各折込機の進行状態を数値で把握することができず、その結果、オペレーターの熟練度を客観的に判断し例えば時給などに反映させることができなかった。
【０００６】
本発明は、本発明は上記実情に鑑みてなされたもので、折込広告組を丁合する折込機の稼働状況を遠隔地で観察することにより、丁合作業の効率化を図ることができる折込機の作業管理システムを提供することを目的とする。
【課題を解決するための手段】
【０００７】
上記目的を達成するため請求項１に係る折込機の作業管理システムは、新聞と同時に配布される複数の広告を一つの折込広告に束ねて折込広告組として順次搬出する複数の各折込機に対して、前記各折込機により搬出される前記折込広告組をカウントする折込機数に応じたカウント手段と、前記折込機に生じる各種エラーを信号値として検出する折込機数に応じたエラー検知手段を設置し、
前記各カウント手段及び各エラー検知手段からの信号を入力し、前記各折込機毎の折込広告組搬出枚数、稼働時間及び停止時間を算出する演算手段と、
前記演算手段で算出された数値データを折込機毎に予め設定された複数セルを含む表形式の状態表示画面で表示することで前記各折込機の稼働状況を把握するモニター手段とを具備することを特徴としている。
【０００８】
請求項２は、請求項１の折込機の作業管理システムにおいて、前記状態表示画面は、折込機で発生する各種エラーを種類別に異なる色で表示するエラー表示部を有し、折込機にエラーが発生した場合には、前記状態表示画面の前記折込機に対応する列のセルの全部又は一部を対応するエラーを表示するエラー表示部と同じ色で色表示することを特徴としている。
【発明の効果】
【０００９】
本発明によれば、モニター手段により、複数の折込機毎に予め設定された複数セルを含む表形式の状態表示画面で、折込広告組搬出枚数、稼働時間及び停止時間を表示することで各折込機の稼働状況をリアルタイムで把握することができる。
【００１０】
また、折込機に各種エラーが発生した場合には、エラーが発生した折込機に対応する列のセルの全部又は一部の色が変化するので、エラーの種類及びどの折込機で発生しているのかを瞬時に確認することができる。
【発明を実施するための最良の形態】
【００１１】
本発明の折込機の作業管理システムについて、図１〜図３を参照しながら説明する。図１のブロック図は、本発明に係る折込機の作業管理システムの全体構成を示している。
複数の折込機１０を管理する作業管理システムは、モニター手段（ディスプレイ部）、中央演算処理部、記憶部、入力部を備えた一般的なパーソナルコンピュータ１上で行うものであり、複数の折込機１０の作業管理システムを実行するためのプログラムがパーソナルコンピュータ１内の記憶部にインストールされている。
【００１２】
上記プログラムは、各折込機から搬出される折込広告組のカウント数に関する情報、及び、各折込機に発生する各種エラーの情報をパーソナルコンピュータ１側のディスプレイ部に表示可能とするとともに、パーソナルコンピュータ１の入力部で入力された各折込機１０における折込広告組の計画数に対する現在の作業内容、及び、各折込機１０の作業状況について、ディスプレイ部に表示し、記録部に記憶するようになっている。具体的な表示画面（状態表示画面）の内容については後述する。
【００１３】
各折込機１０は、新聞と同時に配布される複数の広告を一つの折込広告に丁合して（束ねて）折込広告組として順次搬出する装置である。この折込機１０は、図４に示したように、方形箱状の本体の両側面に対して複数のトレイ部１１及び折り棚１２が形成され、各トレイ部１１にそれぞれ異なる広告複数枚を設置し、本体内で各トレイ部１１から広告を１枚ずつ取り出し、上から下へ縦方向に搬送した後に広告を折り込んで束ね、折り棚１２から取り出した大面積の広告を二つ折りにしてその内側に束ねた広告を収納させることで一つの折込広告組５０（図５）として最下段の搬出部１３から送り出されるようになっている。
【００１４】
また、折込機１０には、その側面に操作部２０が設けられている。操作部２０には、折込機１０の丁合作業を開始するためのスタートボタン２１、折込機イラスト２３を用いてエラー箇所の表示を行うエラー表示部２２、搬出部１３から搬出される折込広告組等を表示するカウンター部２５が設けられている。
スタートボタン２１は、これを押すことで折込機１０による丁合作業が開始されるとともに、その信号は「開始信号」として外部（パーソナルコンピュータ１）に出力可能なように構成されている。
【００１５】
エラー表示部２２は、折込機イラスト２３のエラー発生場所に対応する位置にそれぞれ点灯部２４が設けられ、対応する位置にエラーが発生した場合、適宜箇所（例えば、給紙部、縦搬送部、折り込み部、排出部）に設置されている各センサーにより検知され、対応する場所の点灯部２４が点灯するようになっている。
カウンター部２５は、折込機の作業回数毎に設定される作業部数が表示される地区部数表示２６と、作業中における丁合数をカウントするカウンター２７と、各作業回数のトータルの丁合数がカウントされるトータルカウンター２８と、テンキー部２９から成り、前記地区部数表示２６は、作業開始に先立ちオペレーターがテンキー部２９により入力するように構成されている。
【００１６】
各折込機１０における丁合数（搬出部１３に搬出される折込広告組の数）のカウント（カウンター２７に表示される数）はカウント手段１５によりカウントされる。また、折込機１０の給紙部、縦搬送部、折り込み部、排出部にそれぞれ設置された前記センサーからの信号はエラー検知手段１６に入力され、各種エラーを異なる信号値として出力するように構成されている。
すなわち、エラー検知手段１６は、前記各センサーの信号から、折込機のどの部位に発生したエラーであるかを外部（パーソナルコンピュータ１）へ出力できるように構成されている。
【００１７】
各種エラーとは、例えば、トレイ部１１で紙がつまる「給紙棚エラー」、トレイ部１１に紙（広告）がなくなる「給紙棚なし」、二つ折りにする大面積の広告が折り棚部１２でつまる「折り棚エラー」、二つ折りにする大面積の広告がなくなる「折り棚紙なし」、折込搬送時における紙づまりである「縦搬送紙づまり」、折込広告組を搬出する際に発生する紙づまりである「排紙部紙づまり」等である。
【００１８】
各カウント手段１５及び各エラー検知手段１６は、折込機１０毎に設置されたインターフェス３０を介して収集コントローラー４０に接続され、収集コントローラー４０の出力部がパーソナルコンピュータ１の入力端子に接続されるようになっている。インターフェス３０は、折込機１０側の入力側とパーソナルコンピュータ１側の出力側とを中継させるために介在されるものであり、収集コントローラー４０は、信号を一時的に記憶するバッファメモリを有して構成されている。
したがって、各カウント手段１５及び各エラー検知手段１６からの信号は収集コントローラー４０で一時的に記憶され、どの折込機１０からの信号であるかの識別信号とともにパーソナルコンピュータ１側に転送される。
【００１９】
パーソナルコンピュータ１内には、前記したように、複数の折込機１０の作業管理システムを実行するためのプログラムがインストールされており、収集コントローラー４０からの信号を基に内部の演算手段により折込機１０毎に折込広告組搬出枚数、稼働時間及び停止時間を算出し、ディスプレイ部（モニター手段）の状態表示画面の表示セルに表示するようになっている。また、各折込機１０にエラーが生じた場合には、エラー検知手段１６及び収集コントローラー４０を介して信号が入力され、何号機の折込機１０に発生するエラーであるのか、及び、エラーの種類を特定して状態表示画面に表示可能なようになっている。
【００２０】
パーソナルコンピュータ１のディスプレイに表示される状態表示画面は、図２に示すように、折込機１０の設置数に対応する列（この例では折込機９台に対応する９列）内の各セルに数字が表示され、左側より、折込機１０の号機番号（セル１００）、この号機番号に対応する折込機の作業時間（セル１０１）、カウンター数（セル１０２）、作業部数（セル１０３）、作業回数（セル１０４）が表示されている。
【００２１】
作業回数（セル１０４）は、何番目の作業回であるかの数であり、一つの作業回が終了する毎に加算される。
作業時間（セル１０１）は、一つの作業回における折込機が作業している時間であり、稼働して丁合作業を行うために正常に動いている時間（稼働時間）と、折込機が停止している時間（停止時間）とを含むものである。この作業時間（セル１０１）は、分、秒で表示される。
作業部数（セル１０３）は、一つの作業回において必要とする折込広告組の数であり、オペレーターが操作部２０のテンキー２９を操作することにより入力され、オペレーターが折込機のスタートボタン２１を押して一つの作業回がスタートした段階で表示される固定値である。
カウンター数（セル１０２）は、一つの作業回における折込機から排出された丁合済の折込広告組の数を数えるもので、１組の折込広告組が丁合される毎に作業部数から一ずつ減じられる数値である。
【００２２】
状態表示画面における前記作業回数の表示の右側には、作業の累積値として、稼働時間（セル１０５）、停止時間（セル１０６）、段取時間（セル１０７）、カウンター総数（セル１０９）が表示されている。
稼働時間（セル１０５）は、各作業回数で実際に丁合作業が行われる稼働時間のトータル値である（折込機の停止時間は含まれない）。
停止時間（セル１０６）は、各作業回数でエラーが発生して停止した場合の停止時間のトータル値である。
段取時間（セル１０７）は、各作業回数の間に要する時間のトータル値である。
カウンター計（セル１０８）は、各作業回数でのカウンター数（セル１０２）のトータル値である。
この稼働時間（セル１０５）、停止時間（セル１０６）、段取時間（セル１０７）は、時、分で表示される。
【００２３】
状態表示画面における前記カウンター総数の右側には、作業の計画値として、計画回数（セル１０９）、計画部数（セル１１０）が表示されている。
計画回数（セル１０９）は、作業回数のトータル値である。
計画部数（セル１１０）は、丁合される折込広告組の予定総数であり、各作業回で正常に作業が行われた場合にはカウンター計に対応するものである。これらの数値は、折込機により作業を始める前にパーソナルコンピュータ１側で設定された値が固定値として表示されている。
【００２４】
各作業回数における各種数値や発生したエラーの種類及びその発生時間、スタートボタンによる作業開始の時間は、パーソナルコンピュータ１の記憶部にそれぞれ記憶され、各折込機における履歴情報として管理され、必要に応じて画面上に表示できるように構成されている。
【００２５】
状態表示画面の下方位置には、各種エラーの色分けを示すための状態表示部（エラー表示部）２００が表示される。この状態表示部（エラー表示部）２００の各表示は、折込機１０に発生する各種エラー等の状態を色分して表示するもので、具体的には、「紙受満載」（セル２０１）、「給紙棚エラー」（セル２０２）、「給紙棚紙なし」（セル２０３）、「折り棚エラー」（セル２０４）、「折り棚紙なし」（セル２０５）、「縦搬送紙づまり」（セル２０６）、「排出部紙づまり」（セル２０７）の文字が表示されたセル部分が、それぞれピンク色、オレンジ色、赤色、青色、薄青色、緑色、濃緑色で表示されている。
【００２６】
そして、折込機１０に各種エラーが発生した場合には、状態表示画面の当該号機の折込機に対応する列のセル１００〜１１０の全部又は一部が同じ色で色表示されるように構成されている（図２の例では作業時間に対応するセル１０１（第２号機）のみが色表示）。すなわち、例えば折込機に「給紙棚エラー」が生じた場合には、「給紙棚エラー」と同じ色で対応する号機の折込機のセル１０１が色表示される。
【００２７】
続いて、上記した折込機の作業管理システムを使用した丁合作業の遠隔管理について説明する。
広告の丁合作業を行う作業室には、複数の折込機１０が設置され、各折込機１０について数人のオペレーターが作業を行うようになっている。各折込機１０の各カウント手段１５及び各エラー検知手段１６は、収集コントローラー４０を介して作業室とは別室となる管理室に設置されたパーソナルコンピュータ１に接続され、ディスプレイ部（モニター手段）で作業状況を観察する。
【００２８】
先ず、パーソナルコンピュータ１上で折込機の作業管理システムのプログラムを立ち上げ、作業計画設定画面を表示させ、各号機について、作業回数１回目に必要な枚数、２回目に必要な枚数を順次入力することで、各号機において作業を行うトータルの計画回数及び計画部数が記憶され、図２の表形式の状態表示画面に切り替えることで、各号機の列の右端のセル１０９に計画回数が、セル１１０に計画部数がそれぞれ表示される。この時点で他のセル１０１〜１０８はいずれも「０」又は「表示なし」の状態となっている。
【００２９】
次に、オペレーターが新聞配布地域に応じて予め配布が定められた各種類の広告を、折込機１０の各トレイ部１１にそれぞれ設置し、各折込機１０の操作部２０のテンキー部２９でオペレーターが作業回数１回目の作業部数を設定する。このとき、折込機１０の地区部数表示２６に作業部数（固定値）が表示されるが、パーソナルコンピュータ１側の状態表示画面のセル１０３においては、作業部数が表示されないようになっている。
そして、折込機１０のスタートボタン２１を押すと、各トレイの広告から１枚ずつ引き出して一つの折込広告組とする丁合作業が開始されるとともに、作業回数内で搬出される折込広告組の枚数がカウントされ操作部２０のカウンター２７及びトータルカウンター２８に表示される。
第１回目の作業回では、カウンター２７とトータルカウンター２８の数値は同じであるが、２回目以降の作業回においては、作業回数内で搬出される折込広告組の枚数がカウンター２７に、全作業回数内で搬出される折込広告組の総枚数がトータルカウンター２８にそれぞれ表示されことになる。
また、折込機１０のスタートボタン２１を押した段階で、パーソナルコンピュータ１側の状態表示画面のセル１０３に作業部数（固定値）が表示される。
【００３０】
パーソナルコンピュータ１側の状態表示画面では、折込作業を行っている号機に対応する列において、作業回数内での作業時間（分：秒）（停止した場合には、停止している時間も含む）がセル１０１に、作業回数内でのカウンター数（作業部数（セル１０３）に表示される数（折込機の地区部数表示２６に表示される数と同じ）に対して、折込広告組が完成する毎に１ずつ減算される数がセル１０２に表示される。そして、作業回数内での設定枚数となる作業部数（オペレーターが折込機１０の操作部に入力した数であり、固定された数値）がセル１０３に、作業回数がセル１０４にそれぞれ表示される。
【００３１】
したがって、折込広告組が順次排出されてカウンター数が減算され「０」となった時、作業部数と同じ数の折込広告組が送出されることになり、この時点で折込機が作業停止し一つの作業回数が終了するので、丁合予定の固定値が表示されている作業部数（セル１０３）を「０」に戻すとともに、作業回数（セル１０４）に１が加算される。また、カウンター数（セル１０２）が「０」になった時間は、パーソナルコンピュータ１側で記憶される。
続いて次の作業回数での作業がオペレーターにより前記同様の操作で行なわれる。オペレーターが作業回数と作業回数との間に、折込機が作業停止してから折込機のトレイ部に広告を準備したり各種設定に要した時間は、段取時間としてカウントされる（後述するセル１０７に表示）。この段取時間は、カウンター数（セル１０２）が「０」になった時間から、次の作業回における折込機のスタートボタンを押した時間までに経過した時間に相当する。
【００３２】
折込機に各種エラーが生じて停止するような場合には、セル１０１が色表示される。この時、セル１０１に表示される作業時間は止まることなくカウントされるようになっている。セル部分の色表示の種類は、状態表示画面の下方のエラー表示窓に表示されているので、セル１０１に表示された色により、エラーの種類を瞬時に把握することができる。
【００３３】
また、作業回数全体で累積された稼働時間（時間：分）がセル１０５に、エラーが生じて折込機が停止している停止時間（時間：分）がセル１０６に、作業回数間に要した段取時間（時間：分）がセル１０７に、カウンターの総数がセル１０８にそれぞれ表示される。
上記例では、エラーが生じた場合、セル１０１のみ色表示するようにしたが、号機に対応する列の全てのセル１００〜１１０の色が変化するようにしてもよい。
【００３４】
次に、図２の状態表示画面に表示された数値から判る作業状態について、具体的に説明する。
折込機の１号機は、状態表示画面において、作業時間（セル１０１）に時間（０４：２７）が表示されているので、現在「作業中」の状態となっている。そして、セル１０４の作業回数が「８」となっているので、１号機においては、現在第９回目の丁合作業が行われている状態となっている。
この第９回目の作業においては、作業部数（セル１０３）に「４７０」が表示されていることから、４７０部の広告組を丁合することが必要となる。そして、カウンター数（セル１０２）に「１０９」が表示されているので、必要とする作業部数４７０の内、３６１の折込広告組が既に丁合されたことを示している。
累積値の各数値から、１号機においては、現在の９回目の作業途中までの間に、稼働時間が３６分（セル１０５）、停止時間が１２分（セル１０６）、各作業回の間の段取時間（７回分）の合計が５分（セル１０７）、作業の結果丁合された折込広告組が３７５２部（セル１０８）となっている。計画回数は１１回（セル１０９）であり、最終的な計画部数は４７００（セル１１０）となっている。
【００３５】
折込機の２号機は、状態表示画面において、作業時間（セル１０１）に時間が表示されていないので、折込機が丁合作業をしていない状態（作業停止）となっている。そして、セル１０４の作業回数が「１１」となっているので、現在第１１回目の丁合作業が終了した後の段取り行われている状態となっている。この状態では、セル１０７の段取時間のみがカウントされている状態となる。
また、セル１０２のカウンター数が「３２５」と表示されているので、折込機に第１２回目の作業における作業枚数をオペレーターが設定した状態である。この状態で折込機のスタートボタンを操作すると、その時点でセル１０３の作業部数が「３２５」と表示されて、丁合作業が開始され、セル１０２のカウンター数は１ずつ減少する。
【００３６】
累積値の各数値から、２号機においては、現在の第１１回終了時の段取作業途中までの間に、稼働時間が４０分（セル１０５）、停止時間が９分（セル１０６）、各作業回の間の段取時間（１０回分の合計＋１１回めの段取進行中）が５分（セル１０７）、作業の結果丁合された折込広告組が４４５５部（セル１０８）となっている。計画回数は１４回（セル１０９）であり、最終的な計画部数は５４９０（セル１１０）となっている。
【００３７】
折込機の３号機は、状態表示画面において、作業時間が表示されるセル１０１が色表示（図２では斜線で表示）されて数字が表示されているので、「作業中」ではあるがエラー発生のために「停止」の状態となっている。エラーの種類は、状態表示窓に表示されているので、セル１０１の色を確認することで、何のエラーが発生しているかを判断することができる。この状態では、折込機による丁合作業が行われないので、セル１０１の作業時間と、セル１０６の停止時間の数値だけが加算される。
【００３８】
折込機の９号機は、状態表示画面において、作業時間（セル１０１）に時間が表示されておらず、セル１０４の作業回数とセル１０９の計画回数が「１１」で一致しているので、計画された全ての作業が終了していることを意味している。したがって、各セルに表示された数値は固定されており、セル１０６のカウンター数もセル１０９の計画部数に「４６７５」で一致している。
【００３９】
また、状態表示画面の最下例には、各折込機全体の現時点で終了した作業回数（セル１１１）、進捗率（セル１１２）、カウンター計（セル１１３）、計画回数（セル１１４）、計画部数（セル１１５）が表示されることで、全体の計画部数に対する作業進行の割合を確認できるようになっている。進捗率（セル１１２）は、カウンター計（セル１１３）を計画部数（セル１１５）で除した数値である。
【００４０】
全ての作業回数における丁合作業が終了した場合、その作業が正常であったならば、各折込機のカウンター計（セル１０８）と計画部数（セル１１０）の数値は一致するものである。しかしながら、折込機における各作業回数の丁合予定数の設定は、各オペレーターのテンキー部２９入力により行われるので、この時に入力ミスがあると、カウンター計（セル１０８）と計画部数（セル１１０）の数値が一致しなくなる。
上述した作業管理システムを使用していない状況であると、どの作業回数でミスが生じたのかが特定できないため、ミスが発生した作業回を特定できるまで、各作業回で丁合された折込広告組の組数を数えるという労力を有する単純作業を行う必要があった。
【００４１】
この作業管理システムの場合、オペレーターが入力した作業部数（セル１０３）は履歴としてパーソナルコンピュータ１の記録部に記録されているので、その履歴を表示させることで各作業回数（１０９）における計画部数（セル１１０）とを比較でき、その結果、即座にミスが発生した作業回を特定することができる。
【００４２】
上記した折込機の作業管理システムによれば、各折込機の作業状態を離れた場所から確認することができ、例えば、各折込機において、計画回数（セル１０９）に対する作業回数（１０４）の進行状況に差が出た場合に、作業回数の全てを終了した折込機で、他の折込機で未終了の作業回数分の作業を行うようなローテーション管理を施すことができる。
【００４３】
また、折込機に各種エラーが発生した場合には、エラーが発生した折込機に対応する列のセルの全部又は一部の色が変化するので、エラーの種類及びどの折込機で発生しているのかを瞬時に確認することができる。
【００４４】
段取時間や停止時間を観察することで、各折込機を担当するオペレーターの熟練度を数字により客観的に認識することができる。すなわち、これらの時間が短ければ、段取作業に要する時間（段取時間）や、エラーが生じた場合の復旧作業に要する時間（停止時間）が短くなるので熟練度が高いことになり、オペレーターの技量に応じた時給等を設定する際のデータとして活用することができる。
【図面の簡単な説明】
【００４５】
【図１】本発明の折込機の作業管理システムの構造説明図である。
【図２】本発明の折込機の作業管理システムにおいて、パーソナルコンピュータのディスプレイ部に表示される状態表示画面を示す説明図である。
【図３】折込機の操作部についての概略説明図である。
【図４】折込機の概略構造を示す斜視説明図である。
【図５】折込機から搬出される丁合された折込広告組の斜視説明図である。
【符号の説明】
【００４６】
１  パーソナルコンピュータ
１０  折込機
１１  トレイ部
１２  折り棚
１３  搬出部
１５  カウント手段
１６  エラー検知手段
２０  操作部
２１  スタートボタン
２２  エラー表示部
２５  カウンター部
２６  地区部数表示
２７  カウンター
２８  トータルカウンター
３０  インターフェス
４０  収集コントローラー
５０  折込広告組
５１  広告
５２  広告
２００  状態表示部（エラー表示部）
【図１】
2007334424.tif 000003
【図２】
2007334424.tif 000004
【図３】
2007334424.tif 000005
【図４】
2007334424.tif 000006
【図５】
2007334424.tif 000007